(57)【要約】      （修正有）【課題】自らの艦艇などに対して飛来してくる敵の赤外線シーカミサイルに対し、欺瞞するためのＩＲ放射源の作動時間を長くすることのできる放出システムを提供する。【解決手段】艦艇１１などから飛翔体１３により目標地点に到達後、先端部材１４及びロケット部材１６を切り離し、落下傘１５を展開させる。落下傘１５に接続したフレーム１７と、フレーム１７に収納された複数のＩＲ放射源１８を有し、ＩＲ放射源１８は、フレアさせるための点火装置と、フレーム１７と接続するための固定装置と、を有し、フレーム１７から順次投下される。【選択図】図２
2011220609.tif 000002
【特許請求の範囲】
【請求項１】
落下傘と、
該落下傘に接続したフレームと、
該フレームに収納された複数のＩＲ放射源を有し、
前記ＩＲ放射源は、フレアさせるための点火装置と、前記フレームと接続及び分離するための固定装置とを有し、前記フレームから順次投下される、ことを特徴とする投下型ＩＲ放射源。
【請求項２】
前記点火装置は、点火ピンを有し、
前記点火ピンは、一端において点火コードと接続し、
該点火コードは、他端において前記ＩＲ放射源の上方向に隣接したＩＲ放射源と接続しており、前記ＩＲ放射源が落下した際に展張によって前記点火ピンを前記点火装置から分離させ、
前記点火装置は、前記分離を契機に前記ＩＲ放射源を点火させる、ことを特徴とする請求項１に記載の投下型ＩＲ放射源。
【請求項３】
前記固定装置は、固定ピンを有し、
前記固定ピンは、一端において落下コードと接続し、
該落下コードは、他端において前記ＩＲ放射源の下方向に隣接したＩＲ放射源と接続しており、前記ＩＲ放射源と下方向に接続したＩＲ放射源が落下した際に展張によって前記固定ピンを前記固定装置から分離させ、
前記固定装置は、前記分離を契機に前記ＩＲ放射源を落下させる、ことを特徴とする請求項１に記載の投下型ＩＲ放射源。
【請求項４】
前記点火装置は、点火信号受信機構を有し、
該点火信号受信機構は、遠隔場所から送信される点火信号の受信を契機又は所定時間後に前記ＩＲ放射源を点火させる、ことを特徴とする請求項１に記載の投下型ＩＲ放射源。
【請求項５】
前記固定装置は、落下信号受信機構を有し、
該落下信号受信機構は、遠隔場所から送信される落下信号の受信を契機又は所定時間後に前記ＩＲ放射源を落下させる、ことを特徴とする請求項１に記載の投下型ＩＲ放射源。
【発明の詳細な説明】
【技術分野】
【０００１】
本発明は、落下傘を用いて投下するＩＲ（赤外線）放射源に関する。
【０００２】
飛翔体を発射装置で打ち出し、飛翔体内に収納されたＩＲ放射源を空中で展開及び放出し、作動させることで、赤外線ホーミング飛翔体のような敵からの攻撃を欺瞞する方法として、特許文献１が知られている。
【０００３】
特許文献１は、ＩＲ放射源によるフレアによって装甲車両等と誤認させ、赤外線ホーミング飛翔体の飛行経路を変化させることを目的としている。
そのために、赤外線デコイフレア飛翔体は、放出手段によって放出された赤外線放射布が、加熱剤を燃焼させることで赤外線を放射しながら下降する仕組みになっている。
【先行技術文献】
【特許文献】
【０００４】
特開２００１−１７４１９６号公報「赤外線デコイフレア飛しょう体」
【発明の概要】
【発明が解決しようとする課題】
【０００５】
図１に示すように、従来技術では、艦艇１に搭載された発射装置２から、放物線状に飛翔体３を発射し、一定時間後に飛翔体３からＩＲ放射源４の放出を行っている。
その後、さらに一定時間後にＩＲ放射源４を作動させることによって、敵からの攻撃を欺瞞している。
【０００６】
しかし、飛翔体３に複数のＩＲ放射源４を搭載させていても、一斉に放出されてしまう上に、一般にＩＲ放射源４は、燃焼物が使用されているため短時間で燃え尽きてしまうため、長時間欺瞞することができないという問題点があった。
【０００７】
さらに、ＩＲ放射源を順次作動させて全体の作動時間を長くするために、長秒時の延時点火薬を使用した場合、秒時の誤差が大きく、また、製造するに当たって高度な技術が必要になるという問題点があった。
【０００８】
そこで、本発明の目的は、赤外線シーカミサイルを欺瞞するために、ＩＲ放射源の作動時間を長くすることを目的とする。
【課題を解決するための手段】
【０００９】
前記目的を達成するため、落下傘と、
該落下傘に接続したフレームと、
該フレームに収納された複数のＩＲ放射源を有し、
前記ＩＲ放射源は、フレアさせるための点火装置と、前記フレームと接続及び分離するための固定装置とを有し、前記フレームから順次投下される、ことを特徴とする投下型ＩＲ放射源が提供される。
【００１０】
本発明によれば、前記点火装置は、点火ピンを有し、
前記点火ピンは、一端において点火コードと接続し、
該点火コードは、他端において前記ＩＲ放射源の上方向に隣接したＩＲ放射源と接続しており、前記ＩＲ放射源が落下した際に展張によって前記点火ピンを前記点火装置から分離させ、
前記点火装置は、前記分離を契機に前記ＩＲ放射源を点火させる。
【００１１】
また、本発明によれば、前記固定装置は、固定ピンを有し、
前記固定ピンは、一端において落下コードと接続し、
該落下コードは、他端において前記ＩＲ放射源の下方向に隣接したＩＲ放射源と接続しており、前記ＩＲ放射源と下方向に接続したＩＲ放射源が落下した際に展張によって前記固定ピンを前記固定装置から分離させ、
前記固定装置は、前記分離を契機に前記ＩＲ放射源を落下させる。
【００１２】
別の実施例によれば、前記点火装置は、点火信号受信機構を有し、
該点火信号受信機構は、遠隔場所から送信される点火信号の受信を契機又は所定時間後に前記ＩＲ放射源を点火させる。
【００１３】
また、本実施例によれば、前記固定装置は、落下信号受信機構を有し、
該落下信号受信機構は、遠隔場所から送信される落下信号の受信を契機又は所定時間後に前記ＩＲ放射源を落下させる。
【発明の効果】
【００１４】
本発明によれば、遠隔操作によって又は所定時間からＩＲ放射源を順次投下することができるため、全体のＩＲ持続時間を長くすることができる。
これにより、少量のＩＲ放射源によって、長時間敵からの攻撃を欺瞞することができる。
また、ＩＲ放射源について誤差を生じさせないで作動させることが可能になる。
【図面の簡単な説明】
【００１５】
【図１】従来技術による飛翔体発射からＩＲ放射源点火までの構成図である。
【図２】本発明の第１実施例における飛翔体発射からＩＲ放射源点火までの構成図である。
【図３】本発明の第１実施例における落下過程のＩＲ放射源の構成図である。
【図４】本発明の第２実施例における落下前のＩＲ放射源の構成図である。
【発明を実施するための形態】
【００１６】
本発明を実施するための最良の実施形態を図面に基づいて説明する。なお、各図において共通する部分には同一の符号を付し、重複した説明を省略する。
【００１７】
図２は、本発明の第１実施例における飛翔体発射からＩＲ放射源点火までの構成図である。
この図において、１１は艦艇、１２は発射装置、１３は飛翔体、１４は先端部材、１５は落下傘、１６はロケット部材、１７はフレーム、１８はＩＲ放射源である。
【００１８】
艦艇１１は、発射装置１２によって飛翔体１３を発射する。
この例では、艦艇１１を用いて飛翔体１３を発射しているが、陸上用の戦車等に発射装置１２を搭載させて、飛翔体１３の発射を行ってもよい。
【００１９】
飛翔体１３は、発射装置１２によって発射された後、ロケット部材１６によって目標到達地点に送達する。
目標地点に到達後、先端部材１４及びロケット部材１６を切り離し、落下傘１５を展開させて、フレーム１７の落下を開始する。
なお、この例では、飛翔体１３はロケット部材１６を有しているが、かかる部材を有さない形でも可能である。
【００２０】
図３は、本発明の第１実施例における落下過程のＩＲ放射源の構成図である。
図３（Ａ）は、落下前のＩＲ放射源の構成図である。
図３（Ｂ）は、落下開始直後のＩＲ放射源の構成図である。
図３（Ｃ）は、点火ピン及び固定ピン分離直前のＩＲ放射源の構成図である。
図３（Ｄ）は、点火ピン及び固定ピン分離直後のＩＲ放射源の構成図である。
この図において、１９ａは固定コード、１９ｂは点火コード、２０は点火装置、２１は点火ピン、２２は固定装置、２３は固定ピンである。
【００２１】
ＩＲ放射源１８は、落下開始から所定時間経過後又はフレーム１７の長手方向が鉛直になったことを契機に、最下位に位置するＩＲ放射源１８から落下が始まる。
【００２２】
ＩＲ放射源１８は、フレーム１７に格納されている。
また、ＩＲ放射源１８は、点火装置２０及び固定装置２２を有している。
【００２３】
点火装置２０は、点火ピン２１によって点火が抑えられており、固定装置２２は、固定ピン２３によって、下層のＩＲ放射源１８が落下しないように固定されている。
【００２４】
点火ピン２１と１つ上層のＩＲ放射源１８は、点火コード１９ｂによって接続されており、ＩＲ放射源１８が落下する際に点火コード１９ｂは展張して、点火装置２０と分離する。
この構造により、上記分離の直後又は所定時間経過後に、点火装置２０によってＩＲ放射源１８は点火される。
【００２５】
固定ピン２３と１つ下層のＩＲ放射源１８は、固定コード１９ａによって接続されており、１つ下層のＩＲ放射源１８が落下する際に固定コード１９ａは展張して、固定装置２２と分離する。
この構造により、上記分離の直後又は所定時間経過後に、固定装置２２によってＩＲ放射源１８は落下される。
なお、ＩＲ放射源１８の落下が行われてから、一定間隔を空けてから次のＩＲ放射源１８の落下を行うために、例えば、固定ピン２３と固定装置２２の分離後、螺旋状のレールに従って一定距離を進ませることで、落下の時間を遅らせることができる。
【００２６】
図４は、本発明の第２実施例における落下前のＩＲ放射源の構成図である。
この図において、２４は点火装置、２５は固定装置である。
【００２７】
点火装置２４は、点火信号受信機構（図示しない）を有しており、例えば、艦艇１１のような遠隔場所から信号を送信して、該信号の受信を契機にＩＲ放射源の点火を行う。
【００２８】
固定装置２５は、落下信号受信機構（図示しない）を有しており、例えば、艦艇１１のような遠隔場所から信号を送信して、該信号の受信を契機にＩＲ放射源の落下を行う。
【００２９】
なお、本発明は上述した実施形態に限定されず、特許請求の範囲の記載によって示され、さらに特許請求の範囲の記載と均等の意味および範囲内でのすべての変更を含むものである。
【符号の説明】
【００３０】
１  艦艇、２  発射装置、３  飛翔体、４  ＩＲ放射源、５  連結索、
６  後蓋、１１  艦艇、１２  発射装置、１３  飛翔体、１４  先端部材、
１５  落下傘、１６  ロケット部材、１７  フレーム、１８  ＩＲ放射源、
１９ａ  固定コード、１９ｂ  点火コード、２０  点火装置、２１  点火ピン、
２２  固定装置、２３  固定ピン、２４  点火装置、２５  固定装置
【図１】
2011220609.tif 000003
【図２】
2011220609.tif 000004
【図３】
2011220609.tif 000005
【図４】
2011220609.tif 000006